(57)【特許請求の範囲】
【請求項１】
少なくとも撮影レンズとシャッタを電動駆動させるカメラにおいて、
電源となる電池の装填によって作動開始し、カメラを起動させるスイッチのオン操作に応じて、前記撮影レンズが沈胴していない場合には沈胴させた後、自動的に前記撮影レンズを撮影可能な位置に繰り出して停止させるよう制御する制御手段を備えたことを特徴とするカメラ。
【請求項２】
前記カメラを起動させるスイッチのオン操作に応じて、前記シャッタを初期状態に復帰させることを特徴とする請求項１に記載のカメラ。
【発明の詳細な説明】
【０００１】
【発明の属する技術分野】
本発明は、電源となる電池を交換した後、レンズ鏡胴やシャッタを初期位置に復帰させるべく制御するカメラに関する。
【０００２】
【従来の技術】
各種の機構が電動駆動されるカメラにおいては、電源となる電池を電圧低下やその他の理由で取り出すと、各機構を制御したり駆動したりするＣＰＵやモータの作動が停止するので、撮影レンズやシャッタは作動の途中で停止することがある。従って、次に新しい電池を装填した後に、以前の作動状態を維持したり、以前の作動を継続することは困難であるので、従来のカメラにおいては撮影レンズやシャッタを一旦初期状態に復帰させる制御を行う。従って、撮影レンズが繰り出されていれば沈胴を行い、シャッタが開放作動途中であれば初期の閉鎖状態に復帰させている。
【０００３】
【発明が解決しようとする課題】
上記の如く従来のカメラにおいては、電池を装填したときに撮影レンズやシャッタが初期状態に復帰するといった動作が自動的に行われるが、この動作は一般のユーザーにとって予期しない動作であり、ユーザーの中にはカメラの故障と誤解する人もいる。
【０００４】
本発明はかかる問題に鑑みてなされたものであり、電池を装填した後に、撮影レンズやシャッタを初期状態に復帰させるものの、突然に動作してユーザーに故障と思わせることがないカメラを提案することを課題とするものである。
【０００５】
【課題を解決するための手段】
上記課題は、少なくとも撮影レンズとシャッタを電動駆動させるカメラにおいて、電源となる電池の装填によって作動開始し、カメラを起動させるスイッチのオン操作に応じて、前記撮影レンズが沈胴していない場合には沈胴させた後、自動的に前記撮影レンズを撮影可能な位置に繰り出して停止させるよう制御する制御手段を備えたことを特徴とするカメラにより解決される。
【０００６】
【発明の実施の形態】
本発明のカメラにおける実施の形態を図を参照して説明する。
【０００７】
先ず、図１の回路ブロック図にカメラの回路構成を説明する。
【０００８】
１はカメラの各回路を制御するＣＰＵ（本発明における制御手段）であり、電源である電池Ｂからの電圧がＤＣ／ＤＣコンバータ２により昇圧されてＣＰＵ１に入力される。電圧検出器３はＣＰＵ１の作動電圧より高い電圧がＣＰＵ１に与えられているか否かを検出する回路であり、ＣＰＵ１の作動電圧より低い電圧であるならば、ＣＰＵ１にリセット信号を出力し、ＣＰＵ１のソフトウエアをリセットする。
【０００９】
４はカメラとは別体にてリモコン信号を送信するリモコン送信器であり、リモコンＩＣからなるリモコン受光ユニット５に送信する。
【００１０】
６は被写体光を測光する測光ユニット、７は被写体距離を測距する測距ユニットである。
【００１１】
８は各種のモータを駆動させるモータドライバであり、ＬＭは撮影レンズを駆動するレンズモータであって、撮影レンズを沈胴位置から撮影位置まで繰り出したり、フォーカシングを行うために更に繰り出したり、初期状態である沈胴状態に繰り込んだりする。ＳＭはシャッタモータであり、シャッタの開閉作動を行う。ＦＭはフィルムモータであり、撮影の度に１駒ずつ巻き上げ、逆転して撮影済みの駒を巻き戻しする。
【００１２】
１１は撮影レンズの位置を検出するレンズエンコーダ、１２はシャッタの開閉状態を検出するシャッタエンコーダ、１３はフィルムの給送状態を検出するフィルムエンコーダである。
【００１３】
１４は液晶板からなる表示部であり、撮影済の駒数、電池Ｂの消耗度、撮影モード等を表示する。
【００１４】
Ｐ−ＳＷはカメラを起動させるパワースイッチ、Ｓ１−ＳＷはレリーズ釦の第１段の押圧によって測光や測距を行なわさせる第１レリーズスイッチ、Ｓ２−ＳＷはシャッタのレリーズを行なわさせる第２レリーズスイッチ、Ｍ−ＳＷは各種の撮影モードやセルフタイマモード等を選択するモードスイッチ、Ｌ−ＳＷは撮影レンズが沈胴しているか否か、即ち撮影レンズが初期状態であるか否かを検知するレンズ初期位置検出スイッチである。
【００１５】
なお、ＣＰＵ１はパワースイッチＰ−ＳＷ、第１レリーズスイッチＳ１−ＳＷ、第２レリーズスイッチＳ２−ＳＷ、モードスイッチＭ−ＳＷ、及びリモコン信号の受信によって起動する。
【００１６】
次に本カメラのフローチャートを図２乃至図８に基づき説明する。
【００１７】
先ず、図２のフローチャートにおいて、電池Ｂを電池室に装填すると、ＤＣ／ＤＣコンバータ２が昇圧するので（１０１）、ＣＰＵ１において高速クロックが開始し、ＤＣ／ＤＣコンバータ２によって例えば２Ｖに昇圧するとＣＰＵ１のリセット信号が解除され、所定のソフトウエアの作動が開始する（１０２）。続いて、ＣＰＵ１への割り込みが許可される（１０３）。ＤＣ／ＤＣコンバータ２の昇圧が安定するのを例えば０．５ｍｓ待って（１０４）、ＣＰＵ１のポートやＲＡＭを初期化する（１０５）。そして、ＣＰＵ１の起動スイッチがオフであるのを確認して（１０６のＹ）、ＣＰＵ１は低速クロックの低消費電力モードになる（１０７）。
【００１８】
次に、図３により割り込みルーチンについて説明する。
【００１９】
電池を電池室に装填したとき、電池が電池室内でバウンドすると、電池接片との接触が不安定になる。従って、ＣＰＵ１への入力電圧が作動電圧より低くなったことを電圧検出器３が検出したときは（１１１のＹ）、Ａに戻ってリセットし、各種のシーケンスを繰り返す。従って、電池を装填したときのバウンドが修まった後、シーケンスが進むため、以降に行う撮影レンズやシャッタの初期値への移動を確実に行うことが出来る。なお、ＣＰＵ１への入力電圧が作動電圧より高ければ、そのままフローを継続する。
【００２０】
次に、ＣＰＵ１が低速クロックの低消費電力モードになった（１０７）後のフローチャートを図４により説明する。
【００２１】
パワースイッチＰ−ＳＷをオンにすると（１２１）、ＣＰＵ１は高速クロックの通常動作モードが開始する（１２２）。そして、シャッタが開放していれば（１２３のＹ）、シャッタモータＳＭを駆動してシャッタを閉鎖駆動し（１２４）、撮影レンズが沈胴していなくて突出していれば（１２５のＹ）、レンズモータＬＭを駆動して撮影レンズを沈胴駆動させる（１２６）。この結果、撮影レンズとシャッタの初期化が成功すれば（１２７のＹ）、再びレンズモータＬＭを駆動して撮影レンズを撮影可能な位置まで繰り出す（１２８）。続いて、ＣＰＵ起動スイッチがオフになるのを待って（１２９のＹ）、ＣＰＵ１は低速クロックとなる（１３０）。
【００２２】
撮影レンズとシャッタの初期化が成功していなければ（１２７のＮ）、Ｂを経て図２のＣＰＵ起動スイッチオフ待ち（１０６）の前に戻る。
【００２３】
なお、以上のフローの状態を図５のタイムチャートにても示す。
【００２４】
電池を装填して例えば電圧が２Ｖに昇圧すると、ＣＰＵ１は作動開始する。しかし、電池がバウンドしていると、その度に電圧検出器３はＣＰＵ１をリセットする。電圧が例えば３Ｖにて安定した後、リセットは解除され、プログラムが進行して、ＤＣ／ＤＣコンバータ２の発振が安定した後、ソフトウエアが起動するのを待って、撮影レンズとシャッタを初期化し、撮影レンズを撮影可能な位置まで繰り出す。
【００２５】
次に、図６及び図７のフローチャートの基づいて撮影ルーチンについて説明する。
【００２６】
先ず、ＣＰＵ起動スイッチがオンになると（１４１のＯＮ）、ＣＰＵ１が高速クロックになる（１４２）。本フローチャートにおいては、リモコン送信器４からリモコン受光ユニット５にリモコン信号が送信されたとすると（１４３のＹ）、ＣＰＵ１が起動するが、リモコン信号が本カメラに対応したカスタムコードであるか否かを判断し（１４４）、本カメラに対応したカスタムコードであれば（１４４のＹ）、続いてセルフモードであるか否かを判断し（１４５）、セルフモードでなければ（１４５のＮ）、Ｄに移行して図７における撮影動作となる。
【００２７】
本カメラに対応したカスタムコードでないときは（１４４のＮ）、図７にて説明するＥに移行する。
【００２８】
また、セルフモードのときも（１４５のＹ）、図７にて説明するＥに移行する。即ち、セルフモード撮影のときはリモコン撮影が禁止されている。
【００２９】
リモコン信号が送信されていなくて（１４３のＮ）、第１レリーズスイッチＳ１−ＳＷ及び第２レリーズスイッチＳ２−ＳＷがオンのときは（１４６のＯＮ）、Ｄに移行し、レリーズスイッチＳ１−ＳＷ，Ｓ２−ＳＷがオフのときは（１４６のＯＦＦ）、図７にて説明するＦに移行する。
【００３０】
次に、図６にてＤに進んだときは、図７において、セルフモードか否かの判断をし（１５１）、セルフモードのときは（１５１のＹ）、約１０秒間のセルフタイマ作動を行って（１５２）、測光ユニット６にて測光し（１５３）、セルフモードでないときは（１５１のＮ）、直ちに測光する（１５３）。続いて、測距ユニット７にて測距し（１５４）、測光結果や測距結果より露光量やフォーカシングのためのレンズ繰り出し量等の撮影データを演算し（１５５）、フォーカシングのためにレンズモータＬＭを駆動して撮影レンズを繰り出す（１５６）。その後、シャッタモータＳＭを駆動してシャッタを開閉し（１５７）、撮影レンズを繰り込む（１５８）。続いて、フィルムモータＦＭを駆動してフィルム巻上げを行い（１５９）、ＣＰＵ１への起動スイッチがオフになるのを待って（１６０）、低速クロックになる（１６１）。
【００３１】
図６にてＥに進んだときは、図７において、起動スイッチオフ待ち（１６０）の前に進む。
【００３２】
図６にてＦに進んだときは、図７において、モードスイッチＭ−ＳＷをオンして（１７１のＯＮ）、各種の撮影モードを切り替えたときは（１７２）、同様に起動スイッチオフ待ち（１６０）の前に進む。
【００３３】
モードスイッチＭ−ＳＷがオフにて（１７１のＯＦＦ）、パワースイッチＰ−ＳＷがオフのときも（１７３のＯＦＦ）、同様に起動スイッチオフ待ち（１６０）の前に進む。
【００３４】
パワースイッチＰ−ＳＷをオンにしたときは（１７３のＯＮ）、撮影レンズが繰り出されていれば（１７４のＹ）、沈胴し（１７５）、撮影レンズが繰り出されていなくて沈胴していれば（１７４のＮ）、繰り出され（１７６）、同様に起動スイッチオフ待ち（１６０）の前に進む。
【００３５】
なお、次の駒を撮影するときは、図６のＣに戻って以上のフローを繰り返す。
【００３６】
また、以上説明した中のリモコン撮影について、図８のタイムチャートに基づいて更に説明する。
【００３７】
リモコン信号の受信前にはＣＰＵ１のクロックは低速であるが、リモコン信号をリモコン受光ユニット５が受信してＬ信号を出力すると、ＣＰＵ１は起動し、高速クロックに切り替わる。そして、何のスイッチで起動したかを判断する。この時間が充分にあれば、ノイズでないので、リモコン信号が受け付けられたと判断し、カスタムコードであるか否かを判断する。なお、リモコン送信器４はリモコンの受け付けの判断に要する時間以上、Ｌ信号を送信可能なようにプログラムされている。
【００３８】
【発明の効果】
請求項１〜２に記載のカメラによれば、電池を装填したとき、突然にレンズやシャッタが初期位置に移動することがないので、ユーザーがカメラの故障と誤解する恐れがない。
【図面の簡単な説明】
【図１】カメラの回路ブロック図である。
【図２】カメラのフローチャートである。
【図３】カメラのフローチャートである。
【図４】カメラのフローチャートである。
【図５】カメラのタイムチャートである。
【図６】カメラのフローチャートである。
【図７】カメラのフローチャートである。
【図８】カメラのタイムチャートである。
【符号の説明】
１  ＣＰＵ
２  ＤＣ／ＤＣコンバータ
３  電圧検出器
４  リモコン送信器
５  リモコン受光ユニット
ＬＭ  レンズモータ
ＳＭ  シャッタモータ
ＦＭ  フィルムモータ
Ｐ−ＳＷ  パワースイッチ
Ｓ１−ＳＷ  第１レリーズスイッチ
Ｓ２−ＳＷ  第２レリーズスイッチ
Ｍ−ＳＷ  モードスイッチ
Ｌ−ＳＷ  レンズ初期位置検出スイッチ
【図１】
0003675197.tif 000002
【図２】
0003675197.tif 000003
【図３】
0003675197.tif 000004
【図４】
0003675197.tif 000005
【図５】
0003675197.tif 000006
【図６】
0003675197.tif 000007
【図７】
0003675197.tif 000008
【図８】
0003675197.tif 000009